(57)【要約】【課題】    従来よりも機能性を向上させた外観形状を備えるエンタテインメント装置その他の電子機器を提供すること。【解決手段】  概略楕円柱状に形成されるとともに、長手方向が設置面に略水平となるよう配置され、光ディスク等の可搬型の情報記憶媒体を挿入する媒体挿入口１４，２６，２８，３０が設けられるメイン筐体１０と、前記メイン筐体１０の下部に取り付けられる概略箱状の台座部５２と、を備えることを特徴とする。【選択図】        図１
2006350396.tif 000002
【特許請求の範囲】
【請求項１】
概略楕円柱状に形成されるとともに、長手方向が設置面に略水平となるよう配置され、可搬型の情報記憶媒体を挿入する媒体挿入口が設けられるメイン筐体と、
前記メイン筐体の下部に取り付けられる概略箱状の台座部と、
を備えることを特徴とする電子機器。
【請求項２】
請求項１に記載の電子機器において、
前記台座部は、平面視において前記メイン筐体に対して前記長手方向又は短手方向のうち少なくとも一方の方向にオフセットして、該メイン筐体の下部に取り付けられる、
ことを特徴とする電子機器。
【請求項３】
可搬型の情報記憶媒体を挿入する媒体挿入口が形成された挿入口形成面部と、
前記媒体挿入口よりも下側に配置されるとともに、少なくとも前記挿入口形成面部よりも手前側に略水平に広がるフロントボード部と、
を備えることを特徴とする電子機器。
【請求項４】
請求項３に記載の電子機器において、
前記フロントボード部の少なくとも一部を覆うカバーをさらに備える、
ことを特徴とする電子機器。
【請求項５】
請求項４に記載の電子機器において、
前記カバーは、前記フロントボード部の前記少なくとも一部を覆う位置と該少なくとも一部を露出させる位置とを移動可能に支持される、
ことを特徴とする電子機器。
【請求項６】
請求項４又は５に記載の電子機器において、
前記カバーは、前記フロントボード部の前記少なくとも一部とともに、前記媒体挿入口を覆う、
ことを特徴とする電子機器。
【請求項７】
請求項４に記載の電子機器において、
前記電子機器は、縦置き及び横置きの双方が可能に形成されるとともに、前記挿入口形成面部を複数備え、
前記カバーは、前記複数の挿入口形成面部のうち１つに形成された前記媒体挿入口の下側に配置されたフロントボード部を覆い、
前記複数の挿入口形成面部は、前記電子機器が横置きされる場合に横方向に並ぶとともに、縦置きされる場合に縦方向に並ぶよう配置され、
前記複数の挿入口形成面部のうち前記１つは、前記電子機器が縦置きされる場合に、最も下側に位置するよう配置される、
ことを特徴とする電子機器。
【発明の詳細な説明】
【技術分野】
【０００１】
本発明は電子機器装置に関し、特に家庭用エンタテインメント装置その他の電子機器機の外観形状の機能性向上に関する。
【背景技術】
【０００２】
従来のエンタテインメント装置その他の電子機器の多くは、機器の最前面に操作面を配し、この操作面に操作ボタン、周辺機器を接続するための端子等を設けている（例えば、下記特許文献１参照）。このような外観形状によれば、ユーザは操作ボタンや接続端子の位置を容易に把握し、また容易に利用することができ、装置の操作性を向上させることができる。
【特許文献１】特開２００１−７７５６８号公報
【発明の開示】
【発明が解決しようとする課題】
【０００３】
本発明の目的は、従来よりも機能性を向上させた外観形状を備えるエンタテインメント装置その他の電子機器を提供することにある。
【課題を解決するための手段】
【０００４】
本発明に係る電子機器は、概略楕円柱状に形成されるとともに、長手方向が設置面に略水平となるよう配置され、可搬型の情報記憶媒体を挿入する媒体挿入口が設けられるメイン筐体と、前記メイン筐体の下部に取り付けられる概略箱状の台座部と、を備えることを特徴とする。
【０００５】
本発明に係る電子機器よれば、メイン筐体が概略楕円柱状に形成され、その長手方向（楕円柱の軸方向）が設置面に略水平となるよう配置されるので、オーディオボードのような収納ラックに収容された場合にも、メイン筐体の上部に確実に空間を確保することができ、本電子機器の冷却効率を増すことができる。こうして、エンタテインメント装置その他の電子機器の外観形状の機能性を向上させることができる。
【０００６】
また、前記台座部は、平面視において前記メイン筐体に対して前記長手方向又は短手方向のうち少なくとも一方の方向にオフセットして、該メイン筐体の下部に取り付けられるようにしてもよい。こうすれば、メイン筐体の下部にも確実に空間を確保することができる。この空間は、例えば本電子機器の冷却や、本電子機器の配線に役立てることができる。
【０００７】
また、本発明に係る電子機器は、可搬型の情報記憶媒体を挿入する媒体挿入口が形成された挿入口形成面部と、前記媒体挿入口よりも下側に配置されるとともに、少なくとも前記挿入口形成面部よりも手前側に略水平に広がるフロントボード部と、を備えることを特徴とする。電子機器は、例えば家庭用ゲーム機等のエンタテインメント装置であり、可搬型の情報記憶媒体が挿入されると、該媒体から情報を読み出すようになっている。本発明では、この情報記憶媒体を挿入するための媒体挿入口よりも下側にフロントボード部を備え、このフロントボード部が、少なくとも媒体挿入口よりも手前側（挿入方向とは逆側）に広がっている。このため、ユーザが情報記憶媒体を媒体挿入口に挿入したり、あるいは媒体挿入口から情報記憶媒体を取り出したりする際、該媒体が直接床に落ちてしまうことを防止できる。こうして、従来よりも機能性を向上させた外観形状を備える電子機器を実現することができる。
【０００８】
なお、フロントボード部の面積を情報記憶媒体の面積よりも大きくすれば、より確実に情報記憶媒体の落下を防止できる。また、媒体挿入口に挿入しようとする情報記憶媒体、或いは媒体挿入口から取り出した情報記憶媒体をフロントボード部に仮置きすることもできるようになる。
【０００９】
また、前記フロントボード部の少なくとも一部を覆うカバーをさらに備えるようにしてもよい。こうすれば、フロントボード部に塵が溜まらないようにできる。この結果、情報記憶媒体がフロントボード部に触れても、該媒体に塵が付かないようにできる。
【００１０】
この場合、前記カバーは、前記フロントボード部の前記少なくとも一部を覆う位置と該少なくとも一部を露出させる位置とを移動可能に支持されるようにしてもよい。
【００１１】
また、前記カバーは、前記フロントボード部の前記少なくとも一部とともに、前記媒体挿入口を覆うようにしてもよい。こうすれば、媒体挿入口から電子機器に塵が入ることを防止できる。
【００１２】
また、前記電子機器を、縦置き及び横置きの双方が可能に形成するとともに、前記挿入口形成面部を複数備えるようにしてもよい。この場合、前記カバーにより、前記複数の挿入口形成面部のうち１つに形成された前記媒体挿入口の下側に配置されたフロントボード部を覆うようにし、前記複数の挿入口形成面部を、前記電子機器が横置きされる場合に横方向に並ぶとともに、縦置きされる場合に縦方向に並ぶよう配置し、前記複数の挿入口形成面部のうち前記１つを、前記電子機器が縦置きされる場合に、最も下側に位置するよう配置してもよい。こうすれば、縦置きしたとき、最も接地面に近く塵が舞いやすいフロントボード部をカバーで覆うことができる。
【発明を実施するための最良の形態】
【００１３】
以下、本発明の一実施形態について図面に基づき詳細に説明する。
【００１４】
図１は、本実施形態に係る電子機器の斜視図であり、図２は正面図、図３は左側面図、図４は右側面図、図５は背面図、図６は上面図、図７は底面図である。本電子機器は、横置き及び縦置きの双方が可能なものであり、本電子機器を横置きした状態において横向きに配置される概略楕円柱状のメイン筐体１０と、該メイン筐体の下部に取り付けられ、メイン筐体１０を側壁によって支持しつつ、内部が該メイン筐体１０の内部と連通している概略箱状の台座部５２と、から構成され、このメイン筐体１０は、その長手方向が設置面に水平となるよう配設されている。本電子機器の情報処理装置や情報記憶装置、各種メディアドライブ装置等は、それぞれこのメイン筐体１０と台座部５２のいずれか一方又は双方に亘って収納されている。特に、台座部５２には矩形の基盤等が効率よく収納されるようになっている。
【００１５】
台座部５２の前方には下部が前方に向けて張り出すフロントスカート６４が形成されており、本電子機器の美観及び本電子機器を置いた時の安定性を向上させるようにしている。また、フロントスカート６４の上方には複数のＵＳＢ端子７４が設けられ、各ＵＳＢ端子７４の右側には、ＵＳＢ端子７４が動作している時に点灯しユーザにいずれのＵＳＢ端子７４が動作しているかを通知するランプ７４ａ（例えば、ＬＥＤ）が設けられている。また、本電子機器は、作動時又はスリープ時（作動待機時）に、このＵＳＢ端子７４に接続される外部装置（例えば、バッテリを内蔵するコントローラ）をも充電できるようになっている。そして、ランプ７４ａは、充電時には、充電中である旨をユーザに通知する色で点灯し、バッテリが満充電に至った時には、ランプ７４ａの点灯色が変更され、ユーザに満充電に至ったことを通知するようにもなっている。
【００１６】
メイン筐体１０の横幅及び縦幅に比べて、台座部５２の横幅及び縦幅はそれぞれ狭くなっており、台座部５２は、その左側面がメイン筐体１０の左側面と概略面一になるようにして取り付けられている。そのため、台座部５２は、平面視においてその正面及び右側面、背面１０９がそれぞれメイン筐体１０の縁より内側に位置するように備えられている。
【００１７】
図３及び図４に示すように、メイン筐体１０の前側には、前側オーバーハング（張り出し）部６９が備えられ、ユーザは上方から本電子機器を見下ろした場合には、ＵＳＢ端子７４が見えないようになっている。しかしながら、上述したように台座部５２にはフロントスカート６４が形成されており、ユーザはこのフロントスカート６４を視認することにより、ＵＳＢ端子７４に本電子機器の周辺機器の端子を挿入することができる。さらに、ＵＳＢ端子７４の接続部分上方には、前側オーバーハング部６９が位置し、このＵＳＢ端子７４の接続部分を保護している。メイン筐体１０の後側（背面側）には、後側オーバーハング部７１が備えられている。後述するように、台座部５２の背面１０９及びメイン筐体１０の背面１１１にも本電子機器に接続する各種端子が設けられている。これらの接続部分は、メイン筐体１０は後側オーバーハング部７１によりを備えていることにより、各種端子の接続部分が保護されている。また、図２に示すように、メイン筐体１０の右側にはオーバーハング（張り出し）部６８が備えられる。
【００１８】
メイン筐体１０は、本電子機器の剛性を確保するのに適切な厚みを有し、設置面に対して水平に配される矩形状の枠部材６０を備えており、この枠部材６０の左縁部には楕円板を長軸にて切断した形状を有する左上側板１１０が起立するよう取り付けられ、同じく楕円板を長軸にて切断した形状を有する左下側板１１２が垂下するよう取り付けられている。同様に、右縁部にも楕円板を長軸にて切断した形状を有する右上側板１１６が起立するよう取り付けられ、同じく楕円板を長軸にて切断した形状を有する右下側板１１８が垂下するよう取り付けられている。
【００１９】
そして、湾曲した板状のアルミカバー５６が、左上側板１１０及び右上側板１１６の湾曲した上縁部に沿って取り付けられ、これにより電子機器の上面が覆われるようになっている。また、湾曲したアルミカバー１０８が、左下側板１１２及び右下側板１１８の湾曲した下縁部に沿って取り付けられ、台座部５２とアルミカバー１０８とによって、メイン筐体１０の下面が覆われるようになっている。
【００２０】
こうして、アルミカバー５６及び１０８により概略楕円柱状のメイン筐体１０の楕円側面部分が構成され、左上側板１１０及び左下側板１１２により一端面部分が構成され、右上側板１１６及び右下側板１１８により他端面部分が構成されている。また、アルミカバー５６、１０８は各々湾曲しメイン筐体１０の美観を向上させつつ、メイン筐体１０の径方向外方にメイン筐体１０の上部及び下部に空間を確保し、本電子機器の冷却効率を向上させている。なお、アルミカバー５６，１０８、左上側板１１０、左下側板１１２、右上側板１１６及び右下側板１１８は、例えばアルミ押し出しにより成形される。
【００２１】
メイン筐体１０は、本電子機器の横置き状態において、楕円柱状の筒体の前方に切り欠きが設けられた形状を有している。この切り欠き部分は、メイン筐体１０の上面を構成するアルミカバー５６の前方の縁部に配設されるパネル部材１２の前面と、該パネル部材１２の前面の下縁部から前方に広がり、本電子機器の設置面に対して水平に設けられるフロントボード部２０、２２とで構成されている。パネル部材１２はその傾斜する前面に挿入口形成面部１８，２４を有している。なお、フロントボード部２０、２２については後において詳説する。
【００２２】
挿入口形成面部１８は電子機器の右側に設けられ、本電子機器の動作プログラムを記憶する主記憶媒体を挿入する挿入口が形成されている。具体的には、動作プログラムは光ディスクに記憶されており、挿入口形成面部１８には光ディスクを挿入する光ディスク挿入口１４が形成されている。光ディスク挿入口１４の奥部には自動ローディング機構が備えられており、ユーザが光ディスクの一部を光ディスク挿入口１４に挿入すると、本電子機器の横置き状態において設置面に平行なディスク通路８２（図４参照）を、自動的に光ディスクが移動し、光ディスク全体が電子機器の中に取り込まれるようになっている（図４参照）。
【００２３】
なお、図８に示すように、ディスク通路８２ａを設置面と非平行となる向きに設けてもよい。このとき、ディスク通路８２ａを挿入口形成面部１８に略垂直に設けることにより、本電子機器の横置き時にはユーザの視線方向とディスク通路８２ａが略平行となり、より機能性に優れた電子機器が実現される。一方、挿入口形成部２４は電子機器の左側に設けられ、本電子機器の動作プログラムによって利用されるデータを記憶するメディアを挿入する挿入口が形成されている。具体的には、挿入口形成部２４には、メモリースティック（商標）挿入口２６、ＳＤ（商標）カード挿入口２８及びコンパクトフラッシュ（登録商標）カード挿入口３０が左側からこの順で、メイン筐体１０の長手方向と略平行に形成されている。
【００２４】
挿入口形成面部１８の下端は枠部材６０の上面に接続しており、枠部材６０の内側に連成される平らなフロントボード部２０が該挿入口形成面部１８の下方から前方に、且つ、本電子機器の横置き状態で設置面と平行に広がっている。同様に挿入口形成面部２４の下端も枠部材６０の内側に連成される平らなフロントボード部２２が該挿入口形成面部２４の下方から前方に、且つ、本電子機器の横置き状態で設置面と平行に広がっている。本電子機器では、本電子機器の横置き状態において、これらフロントボード部２０、２２の上面が各メディア（情報記憶媒体）の挿入口の下側に広がっているので、メディアを挿入口に挿入したり、或いは挿入口から取り出したりするとき、ユーザが手を滑らせても、フロントボード部２０、２２により直接メディアが床まで落下し難くいという利点がある。また、フロントボード部２２はメモリースティックやＳＤカードの面積よりも広く形成されているので、メディアの交換のとき、フロントボード部２２に仮置きすることができ、利便性を向上できる。また、各メディアの挿入方向はフロントボード部２０、２２と略平行であるので、ユーザはこのフロントボード部２０、２２を、各メディアを挿入する際のガイドとしても利用することができる。
【００２５】
フロントボード部２２及び挿入口形成部２４は開閉カバー７６により覆われるようになっている。開閉カバー７６は、アルミ押し出しにより形成され、湾曲した板状のアルミカバー３２を備えている。このアルミカバー３２には、例えばプラスチックにより形成されたカバー支持部材３６に接着されている。カバー支持部材３６はアルミカバー３２の裏面に接着される平板部分を備え、その一辺の両端にヒンジアーム３６Ｌ，３６Ｒが取り付けられている。ヒンジアーム３６Ｌ，３６Ｒは、挿入口形成部２４の左右には形成された開口から、電子機器の内部に挿入されており、それらの端部は開閉軸７８（図３）により回動可能に軸支されている。また、フロントボード部２２の左右にはストッパ４０，３８が立設されており、開閉カバー７６を閉位置としたとき、アルミカバー３２の両端に当接するようになっている。このストッパ４０は、本電子機器の縦置き状態では、ストッパ４０が挿入口形成面部２４の前方下側に広がることとなり、ユーザは各種メディアを該ストッパ４０に仮置きすることができ、利便性を向上できている。
【００２６】
ストッパ４０のさらに側方には左上側板１１０が位置し、ストッパ３８のさらに側方には仕切り板６２が位置している。仕切り板６２は、アルミ押し出しにより形成されており、この仕切り版６２により開口形成面部１８、２４及びフロントボード部２０、２２が区画されている。開閉カバー７６が閉位置に配されたとき、該開閉カバー７６の左側が左側板１１０により塞がれ、右側が仕切り板６２により塞がれる。なお、アルミカバー３２の上面には、手前側の縁部に滑り止め用突起３４が形成されており、ユーザが該滑り止め突起３４に手を掛けて開閉カバー７６を開閉させ易いようにしている。
【００２７】
本電子機器によれば、開閉カバー７６が、フロントボード部２２及び挿入口形成部２４を覆う閉位置（図３において破線で示される）と、それらを露出させる開位置（図３において二点鎖線で示される）とを移動可能に取り付けられているので、ユーザは、メモリースティック、ＳＤカード又はコンパクトフラッシュを挿入又は取り出ししないときに開閉カバー７６を閉位置に移動させておき、フロントボード部２２又はストッパ４０に塵が溜まったり、メモリースティック挿入口２６、ＳＤカード挿入口２８及びコンパクトフラッシュ挿入口３０に塵が入ったりすることがないようにできる。また、本電子機器は、主用途が光ディスクに記録された各種コンテンツの再生・実行にあるので、光ディスクを利用するのに必要な光ディスク挿入口１４のみを露出させ、普段は他のメディアの挿入口を開閉カバー７６により塞いでおくことで、初心者にも利用方法を理解させ易い。
【００２８】
続いて、メイン筐体１０の左右側面について説明する。まず、メイン筐体１０の左側面に配設された左上側板１１０には拡張インターフェースカバー５８が取り付けられており、該拡張インターフェースカバー５８を外して、ハードディスクやＲＯＭカートリッジ等の情報記憶媒体や、通信モジュール、センサなどの周辺機器を本電子機器に接続することができるようになっている（図３参照）。そして、この拡張インターフェースカバー５８に覆われる周辺機器の取り付け位置をメイン筐体１０の左側面の中心位置近傍に備えることにより、メイン筐体１０のこの周辺機器を本電子機器に装着し、本電子機器を縦置きすると、本電子機器の重心がより下側に集中することとなり、本電子機器を安定して設置することができる。
【００２９】
また、本電子機器の縦置き時に、本電子機器を安定して設置し、且つ、設置面と非接触にして冷却効果を有するように、メイン筐体１０の左側面には縦置き用の突起部（例えば、ゴム製）が取り付けられている。すなわち、左上側板１１０の上縁部には突起部４６が取り付けられ、また、メイン筐体１０の左側面に露出した枠部材６０の部分にも２つの突起部４２，４４が取り付けられている。さらに、メイン筐体１０の下部に取り付けられた台座部５２の左側面にも２つの突起部４８，５０が取り付けられており、本電子機器の縦置き時に、これらの突起部４２，４４，４６，４８，５０により支持されるようになっている。特に、枠部材６０に突起部４２，４４を取り付けるようにしたので、電子機器を安定的に縦置きすることができる。
【００３０】
また、図７に示すように、台座部５２の底面には突起部７０，７２，８０，８４が取り付けられており、本電子機器の横置き時には、本電子機器はこれらの突起部７０，７２，８０，８４により支持されるようになっている。
【００３１】
次に、本電子機器のメイン筐体１０の右側面には、上述したように右上側板１１６及び右下側板１１８が設けられている。このうち、右下側板１１８には多数の通気口６６が開設されている（図２，図４参照）。この通気口６６の内部には図示しないファンが設けられ、本電子機器の冷却が行われるようになっている。特に、本電子機器では、横置きした状態では下側に位置し、床等の設置面により近い通気口６６の数が少なく、またそのサイズ（開口面積）も小さくなっている。すなわち、通気口６６は設置面に略平行する複数の列上に配置されており、設置面からの距離により、その列に配置される通気口６６の数やサイズが変化するようになっている。そして、この構成により、通気口６６から空気を排出するときには、設置面に溜まった塵がその空気により巻き上げられ難くなっており、逆に、通気口６６から空気を導入する場合にも、設置面に溜まった塵を吸い込みにくくなっている。
【００３２】
本電子機器では、メイン筐体１０の前側及び後側だけでなく、メイン筐体１０の通気口６６が形成された右側にもオーバーハング部６８が設けられている（図２参照）。すなわち、通気口６６が形成された右側面と台座部５２の右側面とが同一平面を形成しておらず、メイン筐体の右側面より内側に配設され、メイン筐体１０の右側部の下側にも台座部５２が取り付けられておらず、宙に浮いている状態となっている。これにより、通気口６６の上及び左右方向のみならず、下方向も空間が確保され、本電子機器の冷却を効率的に行うことができる。
【００３３】
最後に本電子機器の背面について説明すると、背面には、各種接続端子及びスイッチが２段に配置されている。この各種接続端子等のうち下段に配置される端子は、２つのＨＤＭＩ（High Definition Multimedia Interface）端子９６、ＡＶ端子１００、光デジタル端子１０２、主電源スイッチ１０４、電源ケーブル端子１０６であり、これらは台座部５２の背面１０９に左からこの順で設けられている。また、各種接続端子等のうち下段に配置される端子は、２つのＵＳＢ端子８６、３つのイーサ（Ｅｔｈｅｒ）ポート９０であり、これらは左から順に台座部５２の背面１０９とメイン筐体１０の平面状背面１１１とに亘って設けられている。平面状背面１１１は、図３に示すように、メイン筐体１０の最後端より前側に位置し、また上述したように、メイン筐体１０の後側には後側オーバーハング部７１が設けられているので、本電子機器の後側に接続される各種接続端子の接続部分はメイン筐体１０により保護されている。
【００３４】
以上説明した電子機器によれば、メイン筐体１０が概略楕円柱状に形成され、その長手方向（楕円柱の軸方向）が設置面に略水平となるよう配置されるので、オーディオボードのような収納ラックに収容された場合にも、メイン筐体１０の上部に確実に空間を確保することができ、本電子機器の冷却効率を増すことができる。また、光ディスク挿入口１４、メモリースティック挿入口２６、ＳＤカード挿入口２８、コンパクトフラッシュ挿入口３０の前方にフロントボード部２０，２２が形成されているので、各種メディアを取扱中にそれらを直接床に落としてしまうことがないようにでき、利便性を向上できる。
【００３５】
なお、本発明は上記実施形態に限定されるものではなく、当業者にとって種々の変形が可能なのはもちろんであり、それらも変形も本発明の範囲に含まれる。
【図面の簡単な説明】
【００３６】
【図１】本発明の実施形態に係る電子機器の斜視図である。
【図２】本発明の実施形態に係る電子機器の正面図である。
【図３】本発明の実施形態に係る電子機器の左側面図である。
【図４】本発明の実施形態に係る電子機器の右側面図である。
【図５】本発明の実施形態に係る電子機器の背面図である。
【図６】本発明の実施形態に係る電子機器の上面図である。
【図７】本発明の実施形態に係る電子機器の底面図である。
【図８】本発明の他の実施形態に係る電子機器の右側面図である。
【符号の説明】
【００３７】
１０  メイン筐体、１２  パネル部材、１４  光ディスク挿入口、１８，２４  挿入口形成面部、２０，２２  フロントボード部、２４  挿入口、２６  メモリースティック挿入口、２８  ＳＤカード挿入口、３０  コンパクトフラッシュカード挿入口、３２，５６，１０８  アルミカバー、３４  滑り止め用突起、３６  カバー支持部材、３６Ｌ，３６Ｒ  ヒンジアーム、３８，４０  ストッパ、４２，４４，４６，４８，５０  縦置き用突起部、５２  台座部、５８  拡張インターフェースカバー、６０  枠部材、６２  仕切り板、６４  フロントスカート、６６  通気口、６８，６９，７１  オーバーハング（張り出し）部、７０，７２，８０，８４  横置き用突起部、７４，８６  ＵＳＢ端子、７６  開閉カバー、７８  開閉軸、８２  光ディスク、９０  ＬＡＮポート、９６  ＨＤＭＩ端子、１００  ＡＶ端子、１０２  光デジタル出力端子、１０４  主電源スイッチ、１０６  電源ケーブル接続端子、１０９  台座部の背面、１１０  左上側板、１１１  メイン筐体の平面状背面、１１２  左下側板、１１６  右上側板、１１８  右下側板。
【図１】
2006350396.tif 000003
【図２】
2006350396.tif 000004
【図３】
2006350396.tif 000005
【図４】
2006350396.tif 000006
【図５】
2006350396.tif 000007
【図６】
2006350396.tif 000008
【図７】
2006350396.tif 000009
【図８】
2006350396.tif 000010